【手続補正書】
【提出日】平成29年6月22日(2017.6.22)
【手続補正１】
【補正対象書類名】特許請求の範囲
【補正対象項目名】全文
【補正方法】変更
【補正の内容】
【特許請求の範囲】
【請求項１】
混ぜ合わされたときに吸熱反応を示し、冷却デバイスの温度を低下させる、２つの別個の異なる物質を含む、冷却デバイスと、
前記２つの異なる物質を混ぜ合わせるように構成された前記冷却デバイスの混ぜ合わせ機構と、
前記冷却デバイスを被験者身体の検査表面に接触させ、それにより前記被験者身体の前記検査表面の温度がより低い温度へと低下させられるように構成された接触機構と、
前記温度が前記より低い温度から上昇する間に前記被験者身体の前記検査表面の温度を測定するように構成された温度測定デバイスと、
前記温度上昇の間に前記被験者身体の前記検査表面から放出される、または前記検査表面により吸収される、赤外線を測定するように構成された赤外線検出器と、
前記検査表面の温度変化率を判定するように構成され、かつ、前記検査表面の前記測定された温度、前記測定された赤外線および前記温度変化率を使用して、前記被験者身体内の物質の濃度を判定するように構成されたデータ・プロセッサと
を含む、測定装置。
【請求項２】
前記接触機構が、
前記冷却デバイスを保持するようにかつ前記冷却デバイスの前端部を当該測定装置の焦点面に位置させるように構成されたバネ負荷式の第１機械アームと、
第２機械アームによって前記第１機械アームに接続されたモータであって、前記第１機械アームによって保持された前記冷却デバイスを当該測定装置の内側の後方位置に後退させるように構成された、モータと、
前記第１機械アームに接続されたピンであって、前記冷却デバイスが前記後方位置に到達すると第３機械アームに接触するようにかつ前記第１機械アームを側方に押して前記冷却デバイスを解放するように構成された、ピンと、
を含む、請求項１に記載の測定装置。
【請求項３】
前記冷却デバイスが、
基部、前記基部に取り付けられた蓋部、および前記蓋部を通る開口部を含む硬い外殻と、
前記蓋部が閉じられた状態で前記外殻内に収まり、前記蓋部を通して前記開口部の上方に露出させるように構成されたサイズおよび形状を有し、前記２つの異なる物質のうちの第１物質を含むフレキシブル・バッグと、
前記２つの異なる物質のうちの第２物質を含む前記フレキシブル・バッグ内にあるポーチであって、当該ポーチが開かれた際に前記第２物質を前記第１物質へと放出するように構成されたポーチと
を含む、請求項１または２に記載の測定装置。
【請求項４】
前記第１物質が、硝酸アンモニウム、硝酸カルシウムアンモニウム、尿素、およびこれらの組み合わせから選択される、請求項１から３のいずれか１項に記載の測定装置。
【請求項５】
前記硬い外殻の対向側部上の取り付け縁部であって、前記測定装置に前記冷却デバイスを取り付けるように構成された取り付け縁部をさらに備える、請求項３に記載の測定装置。
【請求項６】
前記取り付け縁部が、前記蓋部の周縁フランジおよび前記基部の周縁フランジを備え、前記２つのフランジが、前記蓋部が閉じられた状態で互いに重なりあう、請求項５に記載の測定装置。
【請求項７】
前記基部と前記蓋部とが、一体型ピースであり、
前記冷却デバイスが、
前記基部を前記蓋部に接続する旋回軸と、
前記蓋部を通して前記開口部内に前記フレキシブル・バッグを押圧するように構成された前記基部の凹状部分と、
前記蓋部を前記基部に閉じるように構成されたスナップ部と、
をさらに含む、請求項３、５、６のいずれか１項に記載の測定装置。
【請求項８】
前記冷却デバイスが、
水との吸熱反応する物質を含む封止された下方キャビティと水を含む封止された上方キャビティとを含む硬いプラスチック外殻と、
前記上方キャビティにある１以上の尖った短剣部と、
押圧されて前記下方キャビティを穿刺した後に前記尖った短剣部を元の位置に戻すように構成されたバネ負荷式穿刺機構と、
を含む、請求項１、２、４のいずれか１項に記載の測定装置。
【請求項９】
混ぜ合わされたときに吸熱反応を示す２つの別個の異なる物質を含む冷却デバイスを使用するステップと、
前記冷却デバイスの混ぜ合わせ機構を使用して、前記２つの異なる物質を混ぜ合わせるステップと、
前記混ぜ合わされた物質を使用して、前記冷却デバイスの温度を低下させるステップと、
接触機構を使用して、前記冷却デバイスを被験者身体の検査表面に接触させ、それにより前記被験者身体の前記検査表面の温度をより低い温度に低下させるステップと、
前記冷却デバイスを使用して前記検査表面の前記温度を低下させた後、温度測定デバイスを使用して、前記検査表面の前記温度が前記より低い温度から上昇する間の前記被験者身体の前記検査表面の温度を測定するステップと、
赤外線検出器を使用して、前記より低い温度から前記温度が上昇する間に、前記検査表面から放出される、または前記検査表面により吸収される、赤外線を測定するステップと、
データ・プロセッサを使用して、前記検査表面の温度変化率を判定し、前記検査表面の前記測定された温度、前記測定された赤外線および前記温度変化率を使用して、前記被験者身体内の物質の濃度を判定するステップと
を含む測定方法。
【請求項１０】
前記接触機構を使用するステップが、
バネ負荷式の第１機械アーム内に前記冷却デバイスを保持し、前記冷却デバイスの前端部を測定装置の焦点面に位置させるステップと、
前記温度を低下させた後に、第２機械アームによって前記第１機械アームに接続されたモータが、前記第１機械アームによって保持された前記冷却デバイスを前記測定装置の内側の後方位置に後退させるステップと、
前記第１機械アームに接続されたピンが、前記冷却デバイスが前記後方位置に到達すると第３機械アームに接触し、前記第１機械アームを側方に押し、前記冷却デバイスを解放するステップと、
を含む、請求項９に記載の測定方法。
【請求項１１】
前記冷却デバイスが、
基部、前記基部に取り付けられた蓋部、および前記蓋部を通る開口部を含む硬い外殻と、
前記蓋部が閉じられた状態で前記外殻内に収まりかつ前記蓋部を通して前記開口部の上方に露出させるサイズおよび形状を有し、前記２つの異なる物質のうちの第１物質を含むフレキシブル・バッグと、
前記２つの異なる物質のうちの第２物質を含む前記フレキシブル・バッグ内にあるポーチであって、当該ポーチが開かれた際に前記第２物質を前記第１物質へと放出する、ポーチと
を含む、請求項９または１０に記載の測定方法。
【請求項１２】
前記硬い外殻の対向側部上の取り付け縁部を用いて、前記冷却デバイスを測定装置に取り付けるステップ
をさらに含む、請求項１１に記載の測定方法。
【請求項１３】
前記取り付け縁部が、前記蓋部の周縁フランジおよび前記基部の周縁フランジを備え、前記２つのフランジが、前記蓋部が閉じられた状態で互いに重なりあう、請求項１２に記載の測定方法。
【請求項１４】
前記基部と前記蓋部とが、一体型ピースであり、
前記冷却デバイスが、
前記基部を前記蓋部に接続する旋回軸と、
前記蓋部を通して前記開口部内に前記フレキシブル・バッグを押圧する前記基部の凹状部分と、
前記蓋部を前記基部に閉じるスナップ部と、
をさらに含む、請求項１１から１３のいずれか１項に記載の測定方法。
【請求項１５】
前記冷却デバイスが、
水との吸熱反応する物質を含む封止された下方キャビティと水を含む封止された上方キャビティとを含む硬いプラスチック外殻と、
前記上方キャビティにある１以上の尖った短剣部と、
押圧されて前記下方キャビティを穿刺した後に前記尖った短剣部を元の位置に戻すバネ負荷式穿刺機構と、
を含む、請求項９または１０に記載の測定方法。